(57)【特許請求の範囲】
【請求項１】
自動収尿装置用に使用されているパンツ型サポーター装着式タッチパッド付きの女性用尿レシーバーにおいて、
（１）女性の尿道口の周囲にその前後方向に長く密接する形状を有する女性用尿レシーバー本体を構成する長尺袋本体の前後方向の後端を後方外側に膨出させて蓄尿部を形成し、
（２）該蓄尿部の膨出底部まで差し入れられている吸引口を有する導尿管を該長尺袋本体の反蓄尿部側の前端から外部へ導出し、
（３）上記導尿管が長尺袋本体の開口端縁側に移動しないように抑えている軟質保形部材を長尺袋本体の内部に横断的に固定し、
（４）上記保形部材がブロック状不織布からなり、その下面と袋本体底面との間隙に導尿管を挿通した
ことを特徴とする女性用尿レシーバー。
【請求項２】
長尺袋本体の後端膨出端から該長尺袋本体の全長の約１／４の位置に配置したブロック状不織布からなる保形部材がその下面と袋本体底面との間隙に導尿管を挿通した請求項１記載の女性用尿レシーバー。
【請求項３】
導尿管先端部が長尺袋本体の側方に曲折している請求項１または２記載の女性用尿レシーバー。
【請求項４】
導尿管の少なくとも中間部をフレキシブルチューブとし、該導尿管の先端部に錘を固定することにより、該先端部を袋本体の幅方向に揺動可能とした請求項１から３までのいずれか１項記載の女性用尿レシーバー。
【発明の詳細な説明】
【０００１】
【発明の属する技術分野】
本発明は、女性の寝たきり老人や重症の入院患者、身障者、その他排泄物の始末が困難な人のための自動収尿システム、並びにそれに付設した女性用尿レシーバー及びそのサポーターに関するものである。
【０００２】
【従来の技術】
従来、パラマウントベッド社より「スカットクリーン」なる商標名で自動収尿器が市販されている。これは図１１及び図１２に示すように、排尿時に、密接用把手（３５）付で硬質プラスチック製尿レシーバー（３６）を股部に該把手（３５）を使って当てがって使用するものである。そして尿が排泄されて該レシーバー（３６）に連結して設置した電気的センサー（３７）が尿を検出した時に自動収尿器（３８）本体内のポンプを作動して排泄された尿を該本体内の収尿タンクに吸引するものである。
【０００３】
【発明が解決しようとする課題】
従来の上記のような把手付硬質の尿レシーバーを股部に密接させるには使用者自身が行う場合と介護者が行う場合とがあるが、いずれの場合でも排尿中に該尿レシーバーを強く股部に押え付けないと皮膚との隙間から尿が洩れることがある。ところが該尿レシーバーは硬質であるため股部に強く押え付けると皮膚が圧迫され圧迫跡が残ることもあった。
また使用者自身が寝たきり老人、脊椎損傷、ＲＡ患者、脳性マヒ、パーキンソン病などで手足が不自由な場合は使用できない、又は股部に有効に密接できないといった問題があった。さらに介護者が行う場合は大変な労力が必要であったり、人前では排尿はできないといった問題もあった。
【０００４】
また不意の排尿に対応できなかったり、股部の皮膚とレシーバーとの密接状態が不完全なため使用者が仰臥位及び３０°以下傾斜の側臥位にしか対応できなかった。
【０００５】
【課題を解決するための手段】
本発明では、従来技術での尿レシーバーの不具合点、即ち
▲１▼  使用者の陰部周辺の皮膚に圧迫跡が残る。
▲２▼  寝たきり老人、脊椎損傷者等で尿レシーバーを本人が圧着できない場合、介護者が圧着させる必要があるため、手間が大変である。
▲３▼  尿レシーバーの圧着が不充分だと尿洩れの心配がある。
▲４▼  不意の排尿ができない。
▲５▼  人の前での排尿ができない。
▲６▼  陰部とレシーバーのシールが不完全なため、仰臥位又は３０°以下傾斜の側臥位でしか対応できない。
等の問題点を解消し、且つ排尿を完全に補足することにより尿がお尻に廻らず褥瘡を防止し、且つ立体ギャザー付の紙製の尿パッドを併用すれば便失禁者への対応も可能となる女性用尿レシーバーを開発したものである。
【０００６】
即ち本発明の尿レシーバーは、女性の尿道口の周囲に前後方向に長く密接する形状を有する開口端縁を備えた非透水性の軟弾性部材からなる長尺袋本体の該前後方向の後端を外側に膨出させて蓄尿部を形成し、該開口端縁の表面に非透水性で軟弾性のタッチパッドを設け、該蓄尿部内に開口した吸引口を有する導尿管を該長尺袋本体の前端から外部へ導出し、該長尺袋本体の内部に該内部を横断する軟質保形部材を固定し、さらに該長尺袋本体の底面に尿吸収層を設け、該長尺袋本体の蓄尿部を除く側面に小孔を穿設したことを特徴とするものである。
【０００７】
このように皮膚に当接する開口端縁に軟弾性タッチパッドを設けたので従来のように圧迫跡は残らず使用感が良好である。特に厚さ５〜１５mmのクッション性不織布又はウレタンフォームをコア材とし、該コア材の上面側即ち皮膚と接触する面には非透水性不織布又は空気透過型不織布と非透水性ポリエチレンシートのラミネート材を覆い、該コア材の下面側即ち開口端縁に固着する面には非透水性不織布又はポリエチレンを覆ったタッチパッドを、該開口端縁表面の全周に亘って固着した尿レシーバーは一層使用感に優れている。さらに長尺袋本体には厚さ２〜８mm程度のポリエチレンフォームやウレタンフォームのような軟弾性部材を用いているので、該袋本体の側面部などが接する太股にも大きな違和感はなくなる。そしてこの長尺袋本体の概略寸法としては幅３５〜８０mm望ましくは４５mm前後、長さ８０〜１６０mm望ましくは１００mm前後、深さは最大部で２０〜８０mm望ましくは５０mm前後がよい。なお幅及び長さは生理用品に近い寸法である。また長尺袋本体の後端部に蓄尿部を設け、該蓄尿部に溜まる尿を吸引する導尿管を前端部から導出したのは、特に仰臥位の姿勢しかとれない人にとっては後端から導尿管を外部へ引き出すのはスペース的に非常に困難だからである。
さらに上記の方がサポーターにより完全に密着し、洩れのない尿レシーバーが得られる。
【０００８】
また該長尺袋本体の内部を横断する軟質保形部材を設けるのは、該尿レシーバーが股間で挟まれて幅方向で潰れないようにするためであって、特に袋本体の後部即ち蓄尿部が潰れないようにするためには膨出端から全長の約１／４の位置に設置するのがよい。そして該保形部材は厚さ５〜２０mmの直方体形状の不織布からなるものがよく、その下面の下方に導尿管を位置させるとよい。
【０００９】
またタッチパッドの周縁、もしくは長尺袋本体の開口端縁の全周を内側に張り出すのは、特に側臥位の状態となっても排出された尿をある程度せき止めることが可能であって、タッチパッドと皮膚との間からの尿の洩れに対して非常に有効となるからである。なお蓄尿部側での張り出し長さは開口端縁の前後長さの約１／４とすると、側臥位への対応にさらに効果があり、また蓄尿部での蓄尿効果と共に洩れ防止に有効である。
さらにタッチパッドの周縁を外側に張り出すのは、股間の太股部に袋本体部が直接皮膚と接触せずに、ソフトで肌に優しいタッチパッドが接触するので被介護者に不快感を与えることがないからである。
【００１０】
さらに該長尺袋本体の底面に尿吸収層を設けるのは、該尿レシーバーに接続する尿の自動吸引の際に尿検出手段による排尿の検出から吸引開始までのわずかな時間（１秒以内）の間に排出される尿を保持しておくためのものであり、厚さ２〜１０mmの不織布であって通常１０ml以上の吸収能があるものがよい。
【００１１】
また使用者が主として側臥位の場合は、例えば右が下方になる人に対しては長尺袋本体内の導尿管先端部を右側に曲げておき、他方左が下方になる人に対しては該先端部を左側に曲げておけば蓄尿部に排出された尿を残すことなく吸引できる。
【００１２】
さらに長尺袋本体内の導尿管の中間部をフレキシブルチューブ構造とし、該導尿管の先端部に錘を固定しておけば、該導尿管は袋本体内の保形部材の下面と底面との間でガイドされて、使用者が横になったときに重力により長尺袋本体内を幅方向に自由に動くので、例えば右側が下になったときには蓄尿部の右側に溜まる尿を有効に吸引できる。
【００１３】
【実施例】
次に本発明の実施例を図面により説明する。
【００１４】
（実施例１）
図１及び図２に示すように、略舟形形状の底面部の長手方向の一端側を外に向って膨出して蓄尿部（５）を形成し、開口端縁の一端側をせり上げた形状で該開口端縁が女性の尿道口の周囲に密接するような外幅４５mm×外長さ１００mm×最大外深さ５０mmの概略寸法を有する長尺袋本体（１）を、厚さ３mmのポリエチレンフォームで成型してなる女性用尿レシーバーを作製した。この開口端縁には下記のようなタッチパッド（２）を全周に固着した。即ち図３に示すように厚さ１０mmのリング状のクッション性不織布（２ａ）の上面側に空気透過型不織布と非透水性ポリエチレンシートのラミネート材（２ｂ）を該空気透過型不織布側を表側にして被せ、下面側に非透水性不織布（２ｃ）を被せてこれらの内縁部を全周に亘って約５mm張り出し外縁部を全周に亘って約２０mm張り出し、これら張り出し部分を固着して外側張り出し部（３）と内側張り出し部（４）を形成したタッチパッド（２）の該下面側を長尺袋本体（１）の開口端縁に接着固定した。このとき外側張り出し部（３）は下面側に折り曲げ長尺袋本体に接着固定した。これにより股間の皮膚に接触する面は空気透過型不織布となる。
【００１５】
次に該長尺袋本体（１）の反蓄尿部側から該袋本体（１）を貫通して内径６mm×外径１０mmの軟質シリコーン製の導尿管（６）を差し入れ、その先端を蓄尿部（５）内に導いた。さらに膨出部の先端から該袋本体（１）の全長（Ｌ）の１／４の位置に厚さ１０mmの直方体形状の不織布からなる保形部材（７）を固定した。この保形部材（７）は差し入れられている導尿管（６）が開口端縁側に移動しないように抑えているものであり、さらに袋本体（１）が幅方向から押されたときに完全に潰れてしまうのを防いでいる。
【００１６】
また該袋本体（１）の底面には厚さ５mmの不織布からなる尿吸収パッド（８）を固定した。該パッド（８）は初期の排尿を１０ml以上吸収して溜めることができる。なお（９）は空気導入小孔である。
【００１７】
（実施例２）
図４に上記女性用尿レシーバーを装着するための本発明の尿レシーバー用サポーターを説明する。
該サポーター（１０）は合成繊維系の織物又は不織布などで形成され、通気性能を有する薄肉シート（１０ａ）とこれに重ねられ形成された防水機能を有する防水シート（１０ｂ）と上記の尿レシーバーを完全にフィットシールするための二山形状の尿レシーバー装着用伸縮部材（１０ｄ）、さらにその先端部に装着固定のためのベルベット式ファスナー（１０ｃ）（１０ｃ）により構成されており、該ベルベット式ファスナー（１０ｃ）を対応するファスナー（１０ｃ′）に閉じたときにはパンツ型に形成される。なお尿レシーバー装着用伸縮部材（１０ｄ）で女性用尿レシーバーを固定するときには、二山形状側のベルベット式ファスナー（１０ｃ）（１０ｃ）はそのままの位置関係で対応する上面のベルベット式ファスナー（１０ｃ′）に固定するか、二山形状側のベルベット式ファスナー（１０ｃ）（１０ｃ）をタスキ掛け状態で固定してもよい。
【００１８】
（実施例３）
次に上記女性用尿レシーバーを使用した自動収尿装置について図５により説明する。該尿レシーバー（２０）の外部へ導出した導尿管（６）の先端を接続ホース（２１）を介して収尿ビン（２２）に連結する。該収尿ビン（２２）内はミスト除去用１次フィルター（２３）及び脱臭用２次フィルター（２４）を介してエアーポンプ（２５）に連結しており、さらにこの吸引経路は３方切替弁（２６）にて管内の圧力を検出する差圧センサー部（２７）に連通している。なお電気制御部（２８）は安全性重視の観点からＤＣ１２Ｖを採用した。
【００１９】
このような自動収尿装置は尿レシーバー（２０）を装着している状態では常時弱吸引を実施している。即ち常時は３方切替弁（２６）（２６）を差圧センサー部（２７）側に開いてエアーポンプ（２５）により吸引力の弱い弱吸引（Ａ）を行っているが、尿レシーバー（２０）内に排尿されて導尿管（６）の先端の吸引口が尿で塞がれると管内に差圧が生じ差圧センサー部（２７）がこれを検出して３方切替弁（２６）（２６）を強吸引ライン（Ｂ）側に切替えてエアーポンプ（２５）により強吸引を開始して尿レシーバー（２０）内の排尿を順次吸引して収尿ビン（２２）内に溜めるものである。なお図中（２９）は自動収尿装置本体部を示す。
【００２０】
次にこのような尿レシーバーを用いた自動収尿装置の使用例について説明する。図６は本発明の女性用尿レシーバーを人体（女性）に装着したときの位置関係を示す図である。
まず寝たきりの女性被介護者の腰部にサポーター（１０）を装着し、女性用尿レシーバーの開口端縁の後端部、即ち蓄尿部側のタッチパッドを膣口（３０）と肛門（３１）の間に密接させ尿レシーバー全体の位置を決め、股間の背側にあるサポーター（１０）の尿レシーバー装着用伸縮部材（１０ｄ）で該尿レシーバー（２０）を覆い、ベルベットファスナー（１０ｃ）（１０ｃ）でしっかりと装着する。なお（３２）は尿道口である。
次に導尿管（６）と接続用ホース（２１）とを図５のように接続する。この際自動収尿装置の差圧センサー部（２７）が可動状態であることを確認しておく。上記により待機状態となる。その後もし被介護者が排尿すれば、尿は蓄尿部（５）から導尿管（６）を経て接続用ホース（２１）に流入し、前記差圧センサー部（２７）がこれを検知して強吸引ライン（Ｂ）に切り替わり尿は吸引される。
【００２１】
この際、底面の尿吸収パッド（８）及び該尿レシーバー（２０）の下部（後端部）の蓄尿部（５）に初期排尿が蓄尿されるため、差圧センサー部（２７）の検知遅れに対しても対処できる。このことから被介護者が仰臥位の場合の尿レシーバーの袋本体の形状として、図６に示すように該尿レシーバーの開口端縁の後端を通る水平面より下方に蓄尿部（５）が確保されることが重要であるといえる。
【００２２】
通常導尿管（６）の先端部は直管で十分であるが、身障者等のある決まった姿勢として側臥位をとらざるをえない人の場合は先端部を体の向きの側に予め曲げておくとよい。
【００２３】
（実施例４）
次にベッドの上で比較的自由に仰臥位や側臥位のとれる被介護者に対しては図７のような側臥位完全対応型の尿レシーバーを用いると好適である。これは袋本体（１）内の導尿管（６）の中間部を蛇腹式継手（１１）で接続し、さらに導尿管（６）の先端吸引口近傍に砲金製の錘（１２）を固定した尿レシーバーである。この場合、保形部材（７）は直方体形状でその下面と袋本体（１）の底面の尿吸収パッド（８）上面との間は、該導尿管（６）が図中の左右に自由に揺動できるスペースを確保しておく。
【００２４】
このような構成であるから該尿レシーバーを装着した被介護者の体の向きによる重力の作用で錘（１２）は図中の左右に自由に揺動することになり、従って導尿管（６）の先端部は保形部材（７）の下面をガイドとして自由に揺動できるようになり、被介護者がどのような体の向きで排尿したとしても蓄尿部（５）の尿の溜まる部分に吸引口が位置するので、尿の吸引に直ちに対応でき且つ完全な吸引が可能となるばかりでなく、尿の強吸引の際に吸引口からのエアーの吸い込みによる尿の吸引が不可能となってしまうのを回避できる。
なお本例では導尿管（６）の中間部に蛇腹式継手を設けたが、図８のように導尿管（６）の上記継手部を複数段に屈曲させたプラスチック製の管でもよく、要はフレキシブルで錘により容易に曲げられる性質のものであればよい。さらには導尿管（６）自体が錘により自由に揺動できる程度に軟質な材料からなるものでもよい。
【００２５】
（実施例５）
次にＲＡ患者等の立位で排尿することが望まれている被介護者に対して良好な尿レシーバーの例を図９に示す。
股部に密接して排尿を受ける袋本体（１′）としては、図１と同様の材質及び概略寸法のものとし、さらに該袋本体（１′）の前端部からさらに前方に２本の舌片状の取付片（１３）（１３）を延設し、その先端部に皮膚に貼着可能な貼着シート部（１４）を設けた。そして導尿管（６′）は袋本体（１′）の蓄尿部（５′）の壁を直接貫通して該蓄尿部（５′）内に開口させ、さらに導尿管（６′）は外部の蓄尿容器に接続した。
【００２６】
このような尿レシーバーは、タッチパッド（２′）面を股部の所定位置に当てがい、取付片（１３）（１３）を腹側に延ばして貼着シート部（１４）（１４）で皮膚に直接固定し、その後図４に示すようなサポーター（１０′）で該尿レシーバーを確実に装着する。なお図１０に示すようにこのサポーター（１０′）には、該尿レシーバーでは導尿管（６′）が後端部に接続されていることから、該導尿管（６′）を引き出す導尿管引出し孔（１５）が必要である。そして引出した導尿管（６′）は足のふくらはぎ等に取付けた蓄尿容器（１６）に接続しておくことにより、立位で排尿した場合、尿は蓄尿部（５′）から重力による自然流下で直ちに導尿管（６′）を通って蓄尿容器（１６）に溜められる。
なおこのような尿レシーバーはベッド上で被介護者が座位もしくは半座位で排尿する際にも利用でき、この場合は蓄尿容器はヘッドの下に置いておけばよい。
【００２７】
【発明の効果】
このように本発明によれば、タッチパッドにより股部にソフトにフィットするので密接させても圧痕が残らず、さらに本体も軟弾性であるため長時間の装着でも不快感がなく、どのような体位であっても尿の漏れがなく、しかも確実で短時間に排尿を検出できて直ちに吸引を実行できるので、女性の寝たきり老人や脊椎損傷者等の介護に有効である。また立位で排尿する女性の被介護者に対しても同様に装着の違和感がなく、簡単な装置で尿の処理が可能である。
【図面の簡単な説明】
【図１】本発明女性用尿レシーバーの一例を示す斜視図である。
【図２】同じく尿レシーバーを示すもので（ａ）は側断面図、（ｂ）は正面図である。
【図３】同じく尿レシーバーのタッチパッド部を示す部分説明図である。
【図４】本発明のサポーターを示す斜視図である。
【図５】本発明の自動収尿装置の経路図である。
【図６】本発明尿レシーバーの装着状態を示す説明図である。
【図７】本発明の他の女性用尿レシーバーを示す説明図である。
【図８】導尿管の他の例を示す正面図である。
【図９】本発明のさらに他の女性用尿レシーバーを示す斜視図である。
【図１０】図９の尿レシーバーの装着状態を示す説明図である。
【図１１】女性用尿レシーバーの従来例を示す説明図である。
【図１２】図１１の従来の女性用尿レシーバーの使用状態を示す説明図である。
【符号の説明】
１  長尺袋本体
２  タッチパッド
２ａ  クッション性不織布
２ｂ  ラミネート材
２ｃ  非透水性不織布
３  外側張出し部
４  内側張出し部
５  蓄尿部
６  導尿管
７  保形部材
８  尿吸収パッド
９  空気導入小孔
１０  尿レシーバー用サポーター
１０ａ  薄肉シート
１０ｂ  防水シート
１０ｃ，１０ｃ′  ベルベット式ファスナー
１０ｄ  尿レシーバー装着用伸縮部材
１１  蛇腹式継手
１２  錘
１３  取付片
１４  貼着シート部
１５  導尿管引出し孔
１６  蓄尿容器
２０  女性用尿レシーバー
２１  接続ホース
２２  収尿ビン
２３  １次フィルター
２４  ２次フィルター
２５  エアーポンプ
２６  ３方切替弁
２７  差圧センサー部
２８  電気制御部
２９  自動収尿装置本体
３０  膣口
３１  肛門
３２  尿道口
３５  密接用把手
３６  硬質プラスチック製尿レシーバー
３７  電気的センサー
３８  自動収尿器
【図１】
0004039641.tif 000002
【図２】
0004039641.tif 000003
【図３】
0004039641.tif 000004
【図４】
0004039641.tif 000005
【図５】
0004039641.tif 000006
【図６】
0004039641.tif 000007
【図７】
0004039641.tif 000008
【図８】
0004039641.tif 000009
【図９】
0004039641.tif 000010
【図１０】
0004039641.tif 000011
【図１１】
0004039641.tif 000012
【図１２】
0004039641.tif 000013